(57)【要約】【課題】            ドレンタンクの満水時と取出し時に発生する音と振動を低減するための空気調和機の満水検出装置に関する。【解決手段】        圧縮機２とコンデンサ３と減圧器４とエバポレータ５とで冷凍サイクルを構成し、エバポレータ５で発生したドレン水を収納するドレンタンク７と、ドレンタンク７の未装着時にドレン水滴下経路６ａを封鎖するドレン止水手段８を設ける。ドレンタンク７の満水によって満水スイッチ９ａが作動し、満水検出手段９が満水検出すると、満水報知手段１０が警報Ｃを出力し、タイマ手段１１が作動して所定時間Ｔが経過するまでは圧縮機２の通電を続ける。所定時間Ｔの間に満水検出手段９が満水スイッチ９ａの作動を検出したときは、タイマ手段１１を停止して圧縮機２の通電を継続し、満水検出手段９が満水スイッチ９ａの作動を検出前に所定時間Ｔが経過したときは圧縮機２の通電を停止する。【選択図】          図１
2005282902.tif 000002
【特許請求の範囲】
【請求項１】
空気調和機の枠体１内には、
冷媒を圧縮する圧縮機２と、高温のガス状冷媒が送られるコンデンサ３と、液化した冷媒が減圧器４を介して送られるエバポレータ５とを設け、
前記エバポレータ５で気化した冷媒が圧縮機２に戻される冷凍サイクルを備えると共に、
エバポレータ５の下方にはドレンパン６を配置し、該ドレンパン６の下部にはドレン水滴下経路６ａを設け、枠体１内の下部にはドレン水滴下経路６ａから送られるドレン水を収納するドレンタンク７を設け、
かつ、ドレンタンク７の未装着時にドレン水滴下経路６ａを封鎖するドレン止水手段８を設けた一体形の空気調和機において、
前記ドレンタンク７の未装着時と満水時に作動する満水スイッチ９ａの信号を検出する満水検出手段９と、
該満水検出手段９が満水スイッチ９ａの信号を不検出となったときに作動して警報Ｃを出力する満水報知手段１０と、満水検出後も圧縮機２に所定時間Ｔ通電を続けるタイマ手段１１とを設け、
満水検出手段９が所定時間Ｔの経過前に満水スイッチ９ａの信号を検出しないときは圧縮機２の運転を停止し、
所定時間Ｔの経過前に満水スイッチ９ａの信号を検出したときはタイマ手段１１を停止して圧縮機２の運転を継続することを特徴とする空気調和機の満水制御装置。
【請求項２】
空気調和機の運転状態を検出する判定手段１２を設け、
前記満水検出手段９が満水スイッチ９ａの信号を不検出となった時の判定手段１２の出力に基づいて警報Ｃと所定時間Ｔを変更することを特徴とする請求項１に記載の空気調和機の満水制御装置。
【請求項３】
室内の湿度を検出する湿度検出手段１３を設け、
前記判定手段１２は満水検出手段９が満水スイッチ９ａの信号を不検出となった時の湿度検出手段１３のデータに基づいて警報Ｃと所定時間Ｔを決定する請求項２に記載の空気調和機の満水制御装置。
【請求項４】
室温を検出する室温検出手段１４を設け、
前記判定手段１２は満水検出手段９が満水スイッチ９ａの信号を不検出となった時の室温検出手段１４のデータに基づいて警報Ｃと所定時間Ｔを決定する請求項２に記載の空気調和機の満水制御装置。
【請求項５】
圧縮機２の運転時間をカウントする運転積算手段１５を設け、
前記判定手段１２は満水検出手段９が満水スイッチ９ａの信号を不検出となった時の運転積算手段１５のデータに基づいて警報Ｃと所定時間Ｔを決定する請求項２に記載の空気調和機の満水制御装置。
【請求項６】
冷凍サイクルの状態を検出する冷凍サイクル検出手段１６を設け、
前記判定手段１２は満水検出手段９が満水スイッチ９ａの信号を不検出となった時の冷凍サイクル検出手段１６のデータに基づいて警報Ｃと所定時間Ｔを決定する請求項２に記載の空気調和機の満水制御装置。
【請求項７】
満水検出手段９が満水スイッチ９ａの信号を不検出となった時に複数の運転状態のデータを検出する比較手段１７を設け、前記判定手段１２は比較手段１７の比較データに基づいて警報Ｃと所定時間Ｔを決定する請求項１から請求項６のいずれかに記載した空気調和機の満水制御装置。
【発明の詳細な説明】
【技術分野】
【０００１】
この発明は冷凍サイクルを利用して空気調和を行う空気調和機の構造に関するものである。
【背景技術】
【０００２】
冷風機や除湿機と呼ばれる空気調和機は、枠体内に冷媒を圧縮する圧縮機と、圧縮された高温のガス状冷媒が送られるコンデンサと、コンデンサで液化した冷媒が減圧器を介して送られるエバポレータとを備え、該エバポレータで気化した冷媒が圧縮機に戻されることによって冷凍サイクルを構成している。
【０００３】
前記コンデンサとエバポレータには送風ファンを備えて送風されており、前記冷媒が圧縮機で加圧されると高温高圧になり、この冷媒はコンデンサを通過する空気流と熱交換して液化する。そして、この液化した高圧の冷媒は減圧器を経て圧力を下げてエバポレータに送られ、エバポレータを通過する空気を冷却することで冷媒はエバポレータ内部で気化し、この気化した冷媒は再び圧縮機で加圧されてコンデンサに送られる。
【０００４】
低温になったエバポレータを通過して冷却される空気に含まれる水分はエバポレータの表面に結露してドレン水となり、エバポレータの下方に設けられたドレンパンに落下し、枠体内に装置したドレンタンクに収納されている。
【０００５】
そして、ドレンタンクを有する空気調和機においては、発生したドレン水が製品からオーバーフローする以前に安全に停止する必要があり、その為に満水スイッチが搭載されている。ドレンタンクが満水になると満水スイッチがＯＦＦとなり、圧縮機を停止してオーバーフローを防止し、同時に使用者に排水を促すサインを発するものであり、使用者はドレンタンクを枠体から取り出してドレン水を捨てた後、再度ドレンタンクを枠体に装着すると満水スイッチがＯＮとなり、圧縮機に通電して運転を再開することができるようになっている。
【０００６】
従来の空気調和機は、ドレン水の排水を行うためにドレンタンクを取り出すと、ドレンパンのドレン水排水経路が開放された状態となるが、圧縮機の運転を停止しても、エバポレータやドレンパンに付着したドレン水はすぐにはなくならず、このドレン水はドレンタンクを取り出している間もドレン水排水経路から排水される。このため、ドレン水排水経路から落下するドレン水によって枠体内の底面に見苦しい水垂れを作り出し、製品価値を大きく低下させるものであった。
【０００７】
この水垂れの問題を解決するため、ドレンタンクを取り出した際にドレン水排水経路を閉鎖する構造を備えた空気調和機の提案があり、ドレンタンクを取出した際はドレン水排水経路を閉鎖してドレン水をドレン水排水経路内に一時的に溜めておき、ドレン水が枠体内の底面に落下することを防止している（特許文献１参照）。
【特許文献１】特開平６−３４１５８号公報
【発明の開示】
【発明が解決しようとする課題】
【０００８】
ところで、ドレンタンクが満水となって満水スイッチがＯＦＦとなると圧縮機が停止し、また、ドレンタンクが満水となる前でもドレンタンクを取出せば満水スイッチがＯＦＦとなって圧縮機が停止するものであり、ドレン水の排水後にドレンタンクを枠体内に装着して運転を再開するときには圧縮機が起動するものであるが、この圧縮機の停止時と起動時には大きな音と振動が発生するものであった。
【０００９】
とくに、ドレンタンクが満水となって圧縮機が停止するときは、使用者は圧縮機の停止を事前に予想していないため、圧縮機の停止によって急に大きな音と振動が発生すると使用者を驚かせ、不快感を与えるものであった。
【００１０】
また、仮に使用者が事前に満水検知の動作予想を行うことができたとして、ドレンタンクが満水になる前にドレンタンクの排水作業を行うようにしても、ドレンタンクを取外したときには圧縮機が停止してしまうので、圧縮機の停止と起動による音と振動を発生させるという点については何ら変わりないものであった。
【００１１】
ドレンタンクの未装着時にドレン水排水経路を封鎖する構造を備えたものでは、ドレンタンクの満水検知後から短時間の間に排水作業を完了すれば、圧縮機を停止しなくてもドレン水をオーバーフローさせることはない、この発明は満水検知から所定時間の間は圧縮機の停止と起動を行うことなくドレン水の排水を可能にすることを目的とするものである。
【課題を解決するための手段】
【００１２】
この発明は上記課題を解決するもので、空気調和機の枠体１内には、冷媒を圧縮する圧縮機２と、高温のガス状冷媒が送られるコンデンサ３と、液化した冷媒が減圧器４を介して送られるエバポレータ５とを設け、前記エバポレータ５で気化した冷媒が圧縮機２に戻される冷凍サイクルを備えると共に、エバポレータ５の下方にはドレンパン６を配置し、該ドレンパン６の下部にはドレン水滴下経路６ａを設け、枠体１内の下部にはドレン水滴下経路６ａから送られるドレン水を収納するドレンタンク７を設け、かつ、ドレンタンク７の未装着時にドレン水滴下経路６ａを封鎖するドレン止水手段８を設けた一体形の空気調和機において、前記ドレンタンク７の未装着時と満水時に作動する満水スイッチ９ａの信号を検出する満水検出手段９と、該満水検出手段９が満水スイッチ９ａの信号を不検出となったときに作動して警報Ｃを出力する満水報知手段１０と、満水検出後も圧縮機２に所定時間Ｔ通電を続けるタイマ手段１１とを設け、満水検出手段９が所定時間Ｔの経過前に満水スイッチ９ａの信号を検出しないときは圧縮機２の運転を停止し、所定時間Ｔの経過前に満水スイッチ９ａの信号を検出したときはタイマ手段１１を停止して圧縮機２の運転を継続することを特徴とする満水制御装置を構成したものである。
【００１３】
また、空気調和機の運転状態を検出する判定手段１２を設け、前記満水検出手段９が満水スイッチ９ａの信号を不検出となった時の判定出手段１２の出力に基づいて警報Ｃと所定時間Ｔを変更することで、空気調和機を使用する部屋の状態によって圧縮機２の停止までの時間を長くしたり短くしたりすることができる。
【００１４】
また、室内の湿度を検出する湿度検出手段１３を設け、前記判定手段１２は満水検出手段９が満水スイッチ９ａの信号を不検出となった時の湿度検出手段１３のデータに基づいて警報Ｃと所定時間Ｔを決定するときは、室内の湿度からドレン水の発生量を推測して残りの運転可能時間を決定することができる。
【００１５】
また、室温を検出する室温検出手段１４を設け、前記判定手段１２は満水検出手段９が満水スイッチ９ａの信号を不検出となった時の室温検出手段１４のデータに基づいて警報Ｃと所定時間Ｔを決定するときは、室温からドレン水の発生量を推測して残りの運転可能時間を決定する。
【００１６】
また、圧縮機２の運転時間をカウントする運転積算手段１５を設け、前記判定手段１２は満水検出手段９が満水スイッチ９ａの信号を不検出となった時の運転積算手段１５のデータに基づいて警報Ｃと所定時間Ｔを決定するときは、圧縮機２の通電開始から満水スイッチ９ａの作動までの時間からドレン水の発生量を推測して残りの運転可能時間を決定するものである。
【００１７】
また、冷凍サイクルの状態を検出する冷凍サイクル検出手段１６を設け、前記判定手段１２は満水検出手段９が満水スイッチ９ａの信号を不検出となった時の冷凍サイクル検出手段１６のデータに基づいて警報Ｃと所定時間Ｔを決定するときは、冷凍サイクルの状態からドレン水の発生量を推測して残りの運転可能時間を決定する。
【００１８】
更に、満水検出手段９が満水スイッチ９ａの信号を不検出となった時に複数の運転状態のデータを検出する比較手段１７を設け、前記判定手段１２は比較手段１７の比較データに基づいて警報Ｃと所定時間Ｔを決定するときは、複数のデータから予想されるドレン水の発生量のうちの最適なものを選択し、運転可能時間を決定する。
【発明の効果】
【００１９】
上記課題を解決するこの発明は、ドレンタンク７の満水時に作動する満水スイッチ９ａが作動して満水検出手段９が満水を検出したときは、満水報知手段１０が警報Ｃを発して使用者にドレンタンク７の満水を知らせ、タイマ手段１１が作動して所定時間Ｔが経過するまで圧縮機２の通電を継続する。そして、所定時間Ｔが経過する前に排水作業を完了して満水検出手段９が満水スイッチ９ａの信号を検出したときは、タイマ手段１１が停止して圧縮機２の運転を継続するので、圧縮機２の停止と起動による音と振動を発生させることなく排水作業を行うことができるものとなった。
【００２０】
また、使用者は警報Ｃによって圧縮機２の停止を事前に予測できるので、所定時間Ｔ経過後に圧縮機２が停止して音と振動が発生しても使用者が驚くことはなくなり、不快感の低減を図ることができた。
【００２１】
また、判定手段１２によって空気調和機の運転状態を検出し、この判定手段１２の出力に基づいて警報Ｃと所定時間Ｔを変更するので、室内の温度や湿度によって変化するドレン水の発生量に対応して満水検出から圧縮機２の停止までの時間が変更できると共に、使用者が圧縮機２の停止までの時間を予測できるようになり、ドレン水のオーバーフローの防止と圧縮機２の停止回数の低減が可能となり、使い勝手が向上できるものとなった。
【実施例】
【００２２】
図に示す実施例によってこの発明を説明すると、１は空気調和機を構成する枠体、２は枠体１内に収納された冷媒圧縮用の圧縮機、３は圧縮機２で圧縮された冷媒が高温高圧ガスとなって送られるコンデンサ、４はコンデンサ３で放熱して液化した冷媒が減圧される減圧器、５は減圧器４で減圧された冷媒が送られるエバポレータであり、冷媒はエバポレータ５に送られて気化し、冷媒の気化熱によって周囲を冷却する。その後エバポレータ５で気化した冷媒ガスは圧縮機２に戻され、再び圧縮機２で加圧された冷媒がコンデンサ３に送られて循環している。
【００２３】
実施例の空気調和機は冷風機と呼ばれる一体型の空気調和機であり、３ａは枠体１の背面側に配置した温風吹出口、３ｂはコンデンサ３を通過する空気流を形成する温風ファンであり、該温風ファン３ｂによって送風される空気はコンデンサ３を通過し、このとき圧縮機２から送られる高温高圧のガス状冷媒が冷却されて液化する。そして、コンデンサ３を通過して高温となった空気は温風吹出口３ａから排出される。
【００２４】
６はエバポレータ５の下方に設けたドレンパン、６ａはドレンパン６の下部に設けたドレン水滴下経路、７は枠体１内の下部に設けたドレンタンク、１ａはドレンタンク７の側方に位置するタンク取出口であり、エバポレータ５で冷却される空気に含まれる水分はエバポレータ５の表面に結露してドレン水となり、ドレンパン６に滴下する。ドレンパン６に滴下したドレン水はドレン水滴下経路６ａから排水されてドレンタンク７に溜まり、ドレンタンク７が満量となったときは枠体１のタンク取出口１ａを開いてドレンタンク７を枠体１内から取り出して排水する。
【００２５】
８はドレンタンク７の未装着時にドレン水滴下経路６ａを閉塞するドレン止水手段、８ａはドレンタンク７によって可動するドレン止水手段８の止水レバー、８ｂは該止水レバー８ａの可動端に設けた止水栓であり、ドレンタンク７を枠体１内に収納したときは、ドレンタンク７によって止水レバー８ａが押されて止水レバー８ａの可動端に取付けた止水栓８ｂがドレン水滴下経路６ａから離開しており、ドレン水はドレン水滴下経路６ａからドレンタンク７に送られる。一方、ドレンタンク７を枠体１内から取出したときは、バネ等の力によって止水レバー８ａが可動して止水栓８ｂがドレン水滴下経路６ａの開口端を閉塞し、ドレン水をドレン水滴下経路６ａに溜めておくことができるようにして、ドレン水の枠体１内の底面への落下を防止している。
【００２６】
７ａはドレンタンク７の片側を支点として回動できるタンクレバー、７ｂはドレンタンク７の上部開口からドレンタンク７内にのぞませた浮き子であり、浮き子７ｂはタンクレバー７ａに取付けられ、ドレン水でドレンタンク７が満量になったときにタンクレバー７ａが回動する。７ｃはドレンタンク７の外方に伸ばしたタンクレバー７ａの可動端、９ａは枠体１内にドレンタンク７を収納したときにタンクレバー７ａの可動端７ｃと当接する位置に設けた満水スイッチである。
【００２７】
ドレン水によってドレンタンク７が満量になっていない状態でドレンタンク７を枠体１内に収納すると、満水スイッチ９ａはタンクレバー７ａの可動端に押されて閉路となり、また、ドレンタンク７を装着していないときとドレンタンク７の満量時には、タンクレバー７ａの可動端７ｃが満水スイッチ９ａから離開して満水スイッチ９ａが開路となり、満水スイッチ９ａによってドレンタンク７の未装着時と、ドレンタンク７の満量時の検出を行うことができるようになっている。
【００２８】
９は満水スイッチ９ａの信号を検出する満水検出手段であり、満水検出手段９は満水スイッチ９ａが閉路のときに圧縮機２に通電し、満水スイッチ９ａが開路のときに圧縮機２への通電を停止する。
【００２９】
１０は満水検出手段９が満水スイッチ９ａの作動を検出したときに警報Ｃを出す満水報知手段、１１は満水検出手段９が満水スイッチ９ａの作動を検出したときにカウントを開始して所定時間Ｔ経過後に圧縮機２の通電を停止するタイマ手段であり、満水スイッチ９ａはドレンタンク７の満量位置よりも少し余裕を持たせて作動するように設定され、時間Ｔはドレンタンク７やドレン水滴下経路６ａからドレン水がオーバフローする前に圧縮機２が停止するように設定されており、警報Ｃはドレンタンク７の満水が近いことを知らせるものであり、例えばブザーを鳴らしたり、枠体１に表示ランプを設けて表示したりしている。
【００３０】
ところで、従来の空気調和機は満水スイッチ９ａの作動によって圧縮機２の通電がすぐに停止する構造であるが、圧縮機２は停止時に大きな音と振動を発生させるものであり、ドレンタンク７の満水時には何の前触れもなく圧縮機２が停止するため、発生する音と振動によって使用者を驚かせることがあった。また、ドレンタンク７の排水後、ドレンタンク７を枠体１内に収納すると満水スイッチ９ａが押され、圧縮機２に通電して空気調和機の運転を開始するが、圧縮機２は起動時にも大きな音と振動を発生させるものであり、ドレンタンク７の満水時とドレンタンクの取出し時には常に大きな音と振動が発生するため、使用者にとって不快な動作となっていた。
【００３１】
また、圧縮機２の停止と起動は、冷凍サイクルを構成する各部品にも大きな振動を与えるものであり、この振動は製品寿命にも大きく影響してくるので、圧縮機２の停止や起動はできるだけ少なく抑えたい。
【００３２】
この発明はこの課題を解決するもので、ドレンタンク７が満水となって満水検出手段９が満水スイッチ９ａの作動を検出したときは、満水報知手段１０が警報Ｃを発して使用者に満水が近いことを使用者に知らせると共に、タイマ手段１１がカウントを開始し、予め設定された所定時間Ｔの間は圧縮機２の通電を継続する。
【００３３】
そして、所定時間Ｔが経過してタイマ手段１１がカウントを終了すると圧縮機２の通電が停止するものであり、このとき使用者は警報Ｃによって事前に圧縮機２の停止を予想しているから、圧縮機２の停止によって大きな音と振動が発生しても驚くことはなく、使用者の不快感を低減することができた。
【００３４】
また、警報Ｃによって所定時間Ｔが経過する前に使用者がドレンタンク７の満水に気付いて排水作業を行うときは、所定時間Ｔが経過する前であればドレンタンク７を取出しても圧縮機２が停止しないようになっており、ドレンタンク７を取出したときはドレン止水手段８がドレン水滴下経路６ａを閉塞しているので、ドレンタンク７を取出している間にドレン水が枠体１内の底面に落下することはない。
【００３５】
そして、所定時間Ｔが経過する前に排水作業を終了し、空になったドレンタンク７を枠体１内に収納すると満水スイッチ９ａがタンクレバー７ａの可動端に押されて閉路となり、満水検出手段９が満水スイッチ９ａの信号を検出するとタイマ手段１１が停止するものであり、ドレンタンク７が満水となっても圧縮機２を停止することなく空気調和機の運転ができるようになった。また、ドレンタンク７を取出している間に所定時間Ｔが経過したときは、圧縮機２の通電が停止するものであり、ドレン水がオーバーフローすることはないものである。
【００３６】
このように、ドレンタンク７の満水時やドレンタンク７を取出したときでも、所定時間Ｔの間に排水作業を完了したときには圧縮機２を停止することがなくなったから、圧縮機２の停止と起動による大きな音と振動の発生を防止できるものとなり、また、この構成によって圧縮機２の停止・起動回数を少なくできるから、冷凍サイクルを構成する各部品に大きな振動を与える回数が減ることになり、製品寿命が大きく延長されるものである。
【００３７】
また、この発明の他の実施例において、１２は空気調和機の運転状態を検出する判定手段であり、該判定手段１２はドレンタンク７が満水となって満水検出手段９が満水スイッチ９ａの作動を検出したときの空気調和機の運転状態から圧縮機２の通電時間Ｔの長さと警報Ｃの種類を変更する。圧縮機２が同じ時間だけ運転しても室内の温度や湿度の状態によってエバポレータ４で発生するドレン水の量は変化するので、判定手段１２は室内の温度や湿度から満水スイッチ９ａの作動からドレンタンク７やドレン水滴下経路６ａが満量になるまでの時間を計算する。そして、判定手段１２の出力に基づいて圧縮機２の通電時間Ｔの長さと警報Ｃの種類を変更し、このときの警報Ｃは例えば表示ランプの種類を変えたり残りの運転時間を表示したりするとよい。
【００３８】
このように、空気調和機の運転状態に応じて時間Ｔの長さとそのときの警報Ｃの種類を変更できれば、室内の湿度が高くドレン水の発生量が多いとしたときは時間Ｔが短くなるのでドレン水のオーバーフローを確実に防止でき、一方、室内の湿度が低くドレン水の発生量が少ないときは時間Ｔが長くなるのでドレン水の排水作業が余裕を持って行うことができるようになる。使用者は警報Ｃの内容を見れば満水までの時間を知ることができるので、時間Ｔの長さに応じて排水作業を行うことができる。
【００３９】
具体的な実施例として、１３は枠体１に取付けた室内の湿度を検出する湿度検出手段であり、判定手段１２は湿度検出手段１３の湿度データに基づいて圧縮機２の通電時間に対するドレン水の発生量を算出する。満水スイッチ９ａの作動時の湿度が低いときはドレン水の発生量が少なく、湿度が高いときはドレン水の発生量が多いものであり、満水スイッチ９ａの作動後の圧縮機２の通電時間Ｔとそのときの時間Ｔに対応する警報Ｃを決定するものである。
【００４０】
また、１４は枠体１に取付けたサーミスタで構成する室温検出手段であり、判定手段１２は室温検出手段１４の室温データに基づいて圧縮機２の通電時間に対するドレン水の発生量を算出する。室温が低いときはドレン水の発生量が少なく、室温が高いときはドレン水の発生量が多いものであり、満水スイッチ９ａの作動後の圧縮機２の通電時間Ｔとそのときの時間Ｔに対応する警報Ｃを決定するものである。
【００４１】
また、１５は圧縮機２の運転時間をカウントする運転積算手段であり、該運転積算手段１５は制御基板上に設けられ、圧縮機２の通電開始から満水検出手段９が満水スイッチ９ａの作動を検出したときまでの時間を計時している。判定手段１２は運転積算手段１５のデータに基づいて圧縮機２の通電時間に対するドレン水の発生量を算出するものであり、圧縮機２の通電時間が長いときはドレン水の発生量が少なく、圧縮機２の通電時間が短いときはドレン水の発生量が多いと判断し、満水スイッチ９ａの作動後の圧縮機２の通電時間Ｔと時間Ｔに対応する警報Ｃを決定するものである。
【００４２】
また、１６は冷凍サイクルの状態を検出する冷凍サイクル検出手段であり、該冷凍サイクル検出手段１６は制御基板内に設けた圧縮機２の電流監視装置やエバポレータ５に取付けたサーミスタで構成し、圧縮機２の電流値やエバポレータ４の温度から室内の温度や湿度を推測している。判定手段１２は満水スイッチ９ａの作動時の圧縮機２の電流値やエバポレータ５の温度からドレン水の発生量を検出し、ドレン水の発生量が少ないと判断したときは時間Ｔを長く、ドレン水の発生量が多いと判断したときは時間Ｔを短く設定し、時間Ｔに対応する警報Ｃを決定するものである。
【００４３】
更に、この発明の実施例において、１７は前記した各部品の複数のデータを検出する比較手段であり、該比較手段１７は複数のデータを比較して判定手段１２に出力しており、判定手段１２はこの比較手段１７の比較データに基づいて時間Ｔと警報Ｃを決定する。複数のデータから最適な時間Ｔを選択することで、より最適な圧縮機２の通電時間を設定することができるようになり、圧縮機２の停止と起動の大幅な低減が可能となった。
【００４４】
具体的には、比較手段１７が湿度検出手段１３と室温検出手段１４の２つのデータを比較するようにしたときは、この２つのデータから推測されるドレン水の発生量を算出して判定手段１２に出力する。その動作の一例として、室温と湿度の両方が高いときはドレン水の発生量が多いと判断し、また、室温が高くても湿度が低いときはドレン水の発生量は少ないと判断するものであり、判定手段１２はこの比較手段１７のデータに基づいて時間Ｔの長さと警報Ｃを決定することができる。したがって、満水スイッチ９ａが作動したときの空気調和機の運転状態によって最適な時間Ｔを選択することができる。
【００４５】
なお、比較手段１７で検出するデータは上記の２つに限ったものではなく、上記以外のデータの組み合わせや多数のデータの検出で行ってもよく、運転積算手段１５や電流監視装置で構成する冷凍サイクル検出手段１６は制御基板上に構成したものであるから、部品点数を増加することなく、コストの上昇を抑えて実施できる。
【図面の簡単な説明】
【００４６】
【図１】この発明の実施例を示す空気調和機の断面図である。
【図２】図１に示す実施例のドレンタンクを取出した状態を示す断面図である。
【図３】この発明の実施例の空気調和機の構成を示すブロック図である。
【符号の説明】
【００４７】
Ｃ    警報
Ｔ    時間
１    枠体
２    圧縮機
３    コンデンサ
４    減圧器
５    エバポレータ
６    ドレンパン
６ａ  ドレン水滴下経路
７    ドレンタンク
８    ドレン止水手段
９    満水検出手段
９ａ  満水スイッチ
１０    満水報知手段
１１    タイマ手段
１２    判定手段
１３    湿度検出手段
１４    室温検出手段
１５    運転積算手段
１６    冷凍サイクル検出手段
１７    比較手段
【図１】
2005282902.tif 000003
【図２】
2005282902.tif 000004
【図３】
2005282902.tif 000005